(57)【特許請求の範囲】
【請求項１】
ハブと、前記ハブの外周面に設けられた翼とを含むロータと、
前記翼の先端と隙間を介して対向するように前記ロータを囲繞するケーシングと、
を備える圧縮機であって、
前記翼の前縁位置における前記翼の先端と前記ケーシングとの隙間の大きさをｔ０とすると、
前記翼の前記先端と前記ケーシングとは、前記ロータの軸方向における前記前縁位置よりも下流側の少なくとも一部の範囲において、前記大きさｔ０よりも大きな隙間を有し、
前記翼の前記先端に沿った前記前縁位置からの子午面長さを横軸とし、前記翼の前記先端と前記ケーシングとの隙間の大きさを縦軸とした場合における、前記前縁位置から前記翼の後縁位置までの前記隙間の大きさの分布は、上方に凸となる滑らかな湾曲凸形状を含む、遠心圧縮機。
【請求項２】
前記翼の前記先端に沿った前記前縁位置からの子午面長さをＬ、前記翼の前記先端に沿った前記前縁位置から前記翼の後縁位置までの子午面長さをＬ１とすると、
前記翼の前記先端と前記ケーシングとは、０＜Ｌ≦０．５Ｌ１の範囲の少なくとも一部において、前記大きさｔ０よりも大きな隙間を有する、請求項１に記載の遠心圧縮機。
【請求項３】
前記前縁位置から前記後縁位置までの前記翼の前記先端と前記ケーシングとの隙間の大きさの分布における前記隙間の最大値の位置は、０＜Ｌ≦０．５Ｌ１の範囲内に位置する、請求項２に記載の遠心圧縮機。
【請求項４】
前記前縁位置から前記翼の後縁位置までの前記翼の前記先端と前記ケーシングとの隙間の大きさの分布における前記隙間の最大値ｔＭＡＸは、１．１ｔ０≦ｔＭＡＸ≦１．５ｔ０を満たす、請求項３に記載の遠心圧縮機。
【請求項５】
前記隙間の大きさの分布において、前記湾曲凸形状は、前記前縁位置から前記後縁位置に亘って存在する、請求項１乃至４の何れか１項に記載の遠心圧縮機。
【請求項６】
前記翼の後縁位置における前記翼の先端と前記ケーシングとの隙間の大きさをｔ１とすると、前記大きさｔ１は前記大きさｔ０より小さい、請求項１乃至５の何れか１項に記載の遠心圧縮機。
【請求項７】
前記隙間の大きさの分布において、前記隙間の大きさは、前記前縁位置からの第１範囲において一定であり、前記湾曲凸形状は、前記第１範囲の下流側の第２範囲に存在する、請求項１乃至６の何れか１項に記載の遠心圧縮機。
【請求項８】
請求項１乃至７の何れか１項に記載の遠心圧縮機を備えるターボチャージャ。
【発明の詳細な説明】
【技術分野】
【０００１】
本開示は、圧縮機及びターボチャージャに関する。
【背景技術】
【０００２】
遠心圧縮機及び軸流圧縮機において、翼の先端とケーシングとの隙間における圧力面側から負圧面側への漏れ流れ（以下、「クリアランスフロー」という。）は、効率に対して影響を与える要因である。【０００３】
翼の負圧面上で発達した境界層（低エネルギー流体）は、遠心力の作用によって翼の先端の近傍に集積し、クリアランスフローによって巻き上がって渦（以下、「翼端漏れ渦」という。）を形成する。低エネルギー流体は、翼端漏れ渦の渦中心部に集積し、特に高圧力作動点においては、集積した低エネルギー流体が圧力上昇（逆圧力勾配）に負けて逆流を生じることがある。このような現象は「渦崩壊」と呼ばれ、損失発生の大きな要因となる。【０００４】
このような損失発生を抑制するため、クリアランスフロー自体を抑制する取り組みが行われている。例えば特許文献１に記載の翼では、翼の端面に庇状に形成したチップクリアランス低減用プレートにより、クリアランスフフローの抑制を図っている。
【先行技術文献】
【特許文献】
【０００５】
【特許文献１】特開２００４‐１２４８１３号公報
【発明の概要】
【発明が解決しようとする課題】
【０００６】
特許文献１に記載されるような庇状のチップクリアランス低減用プレートを翼の端面に形成する場合、翼の構造が複雑となり、コストアップの要因となる。また、クリアランスフローを抑制することで、翼の先端近傍に翼面境界層が集積しやすくなって、流路内に掻き揚げ渦として渦が巻き上がる場合があり、クリアランスフローの抑制が必ずしも高効率化に繋がるとは限らない。【０００７】
本発明の少なくとも一実施形態は、上述したような従来の課題に鑑みなされたものであって、その目的とするところは、高効率な圧縮機及びこれを備えたターボチャージャを提供することである。
【課題を解決するための手段】
【０００８】
（１）本発明の少なくとも一実施形態に係る圧縮機は、ハブと、前記ハブの外周面に設けられた翼とを含むロータと、前記翼の先端と隙間を介して対向するように前記ロータを囲繞するケーシングと、を備える圧縮機であって、前記翼の前縁位置における前記翼の先端と前記ケーシングとの隙間の大きさをｔ０とすると、前記翼の前記先端と前記ケーシングとは、前記ロータの軸方向における前記前縁位置よりも下流側の少なくとも一部の範囲において、前記大きさｔ０よりも大きな隙間を有する。【０００９】
上記（１）に記載の圧縮機によれば、翼の前縁位置では翼の先端とケーシングとの隙間の大きさを小さく維持することで、翼端漏れ渦の巻き始め部におけるクリアランスフローの増大を抑制することができる。これにより、翼端漏れ渦に起因する損失の増大を効果的に抑制することができる。【００１０】
また、翼の前縁位置より下流側の少なくとも一部の範囲で隙間の大きさを上記のように相対的に大きくすることで、当該少なくとも一部の範囲における隙間を介して、翼の圧力面側からエネルギーの大きなクリアランスフローを低エネルギー流体の集積した負圧面側へ積極的に供給することができる。これにより、翼の先端近傍における低エネルギー流体の集積量の増大を抑制することができる。このため、翼の負圧面における境界層の発達を抑制して翼端漏れ渦の崩壊（渦中心線上における逆流の発生）を抑制することにより、翼の先端近傍における逆流域を縮小し又は逆流の発生を抑制することができる。【００１１】
また、翼の前縁位置よりある程度下流側の位置では、圧力面側と負圧面側との差圧が小さいため、上記少なくとも一部の範囲における隙間を相対的に大きくしても、当該隙間からのクリアランスフローを過度に増大させることなく翼の先端近傍における逆流域を効果的に縮小し、又は逆流の発生を効果的に抑制することができる。
このように、上記（１）に記載の圧縮機によれば、クリアランスフローに起因する損失の増大を抑制しつつ、翼の先端近傍における逆流域を縮小し又は逆流の発生を抑制することができるため、高効率な遠心圧縮機を実現することができる。【００１２】
（２）幾つかの実施形態では、上記（１）に記載の圧縮機において、前記翼の前記先端に沿った前記前縁位置からの子午面長さをＬ、前記翼の前記先端に沿った前記前縁位置から前記翼の後縁位置までの子午面長さをＬ１とすると、前記翼の前記先端と前記ケーシングとは、０＜Ｌ≦０．５Ｌ１の範囲の少なくとも一部において、前記大きさｔ０よりも大きな隙間を有する。【００１３】
本願発明者の知見によれば、翼端漏れ渦が翼の前縁から発生し、渦中心部の低エネルギー流体が圧力勾配に負けて逆流を生じ始める（渦崩壊を生じ始める）現象は、０＜Ｌ≦０．５Ｌ１の範囲内で起こる傾向がある。よって、上記（２）に記載のように、翼の先端とケーシングとを、０＜Ｌ≦０．５Ｌ１の範囲の少なくとも一部において、大きさｔ０よりも大きな隙間を有するように構成することにより、逆流を生じ始める現象が起こる領域に翼の圧力面側からエネルギーの大きなクリアランスフローを積極的に供給することができる。これにより、翼の負圧面における境界層の発達を抑制して翼端漏れ渦の崩壊を効果的に抑制することにより、翼の先端近傍における逆流域を縮小し又は逆流の発生を抑制することができる。したがって、高効率な遠心圧縮機を実現することができる。【００１４】
（３）幾つかの実施形態では、上記（２）に記載の圧縮機において、前記前縁位置から前記後縁位置までの前記翼の前記先端と前記ケーシングとの隙間の大きさの分布における前記隙間の最大値の位置は、０＜Ｌ≦０．５Ｌ１の範囲内に位置する。【００１５】
上記のように、本願発明者の知見によれば、翼端漏れ渦が翼の前縁から発生し、渦中心部の低エネルギー流体が圧力勾配に負けて逆流を生じ始める現象は、０＜Ｌ≦０．５Ｌ１の範囲内で起こる傾向がある。よって、上記（３）に記載のように、上記隙間の大きさの分布における隙間の最大値の位置を０＜Ｌ≦０．５Ｌ１の範囲内に設定することにより、漏れ損失（クリアランスフロー自体に起因する損失）の増大を抑制しつつ、翼端漏れ渦の崩壊を効果的に抑制して、翼の先端近傍における逆流域を縮小し又は逆流の発生を抑制することができる。したがって、高効率な遠心圧縮機を実現することができる。【００１６】
（４）幾つかの実施形態では、上記（１）乃至（３）に何れか１項に記載の圧縮機において、前記前縁位置から前記翼の後縁位置までの前記翼の前記先端と前記ケーシングとの隙間の大きさの分布における前記隙間の最大値ｔＭＡＸは、１．１ｔ０≦ｔＭＡＸ≦１．５ｔ０を満たす。【００１７】
上記漏れ損失の増大を抑制する観点からは、上記隙間の大きさは基本的には極力小さくすることが望ましい。また、翼の負圧面における境界層の発達を抑制する観点からは、上記隙間の最大値ｔＭＡＸは、ある程度の大きさがあることが望ましい。そこで、上記（４）に記載のように隙間の最大値ｔＭＡＸを１．１ｔ０≦ｔＭＡＸ≦１．５ｔ０を満たすように設定することにより、漏れ損失の増大の抑制と翼の負圧面における境界層の発達の抑制とを両立し、高効率な遠心圧縮機を実現することができる。【００１８】
（５）幾つかの実施形態では、上記（１）乃至（４）の何れか１項に記載の圧縮機において、前記翼の前記先端に沿った前記前縁位置からの子午面長さを横軸とし、前記翼の前記先端と前記ケーシングとの隙間の大きさを縦軸とした場合における、前記前縁位置から前記翼の後縁位置までの前記隙間の大きさの分布は、上方に凸となる滑らかな湾曲凸形状を含む。【００１９】
上記（５）に記載の圧縮機によれば、翼の先端にスリット等を設けて上記（１）の構成を実現する場合と比較して、翼の破損リスクの増大を抑制しつつ高効率な遠心圧縮機を実現することができる。【００２０】
（６）幾つかの実施形態では、上記（５）に記載の圧縮機において、前記隙間の大きさの分布において、前記湾曲凸形状は、前記前縁位置から前記後縁位置に亘って存在する。【００２１】
上記（６）に記載の圧縮機によれば、高効率な遠心圧縮機を簡素な翼構成で実現することができる。【００２２】
（７）幾つかの実施形態では、上記（５）に記載の圧縮機において、前記隙間の大きさの分布において、前記隙間の大きさは、前記前縁位置からの第１範囲において一定であり、前記湾曲凸形状は、前記第１範囲の下流側の第２範囲に存在する。【００２３】
上記（７）に記載の圧縮機によれば、例えば翼の前縁位置近傍においてケーシングの内周面がロータの軸方向に平行に形成されている場合等において、高効率な遠心圧縮機を簡素な翼構成で実現することができる。【００２４】
（８）本発明の少なくとも一実施形態に係るターボチャージャは、上記（１）乃至（７）の何れか１項に記載の圧縮機を備える。【００２５】
上記（８）に記載のターボチャージャによれば、高効率な圧縮機を備えたターボチャージャを実現することができる。
【発明の効果】
【００２６】
本発明の少なくとも一つの実施形態によれば、高効率な圧縮機及びこれを備えたターボチャージャが提供される。
【図面の簡単な説明】
【００２７】
【図１】一実施形態に係る遠心圧縮機２の回転軸線に沿った概略断面図（子午面図）である。
【図２】一実施形態に係る遠心圧縮機２における、クリアランスフローＦと翼８の負圧面２２側で生じる逆流域Ａの分布を示す図である。
【図３】従来の遠心圧縮機（図１の破線に示すように、翼の前縁位置から後縁位置に亘って翼の先端とケーシングとの隙間が一定に設定された遠心圧縮機）におけるクリアランスフローＦと翼８の負圧面２２側で生じる逆流域Ａの分布を示す図である。
【図４】一実施形態に係る遠心圧縮機２における、前縁から剥離して翼の先端近傍に集積する低エネルギー流体の流線を示す図である。
【図５】従来の遠心圧縮機（図１の破線に示すように、翼の前縁位置から後縁位置に亘って翼の先端とケーシングとの隙間が一定に設定された遠心圧縮機）における、前縁から剥離して翼の先端近傍に集積する低エネルギー流体Ｆｃの流線を示す図である。
【図６】一実施形態に係る遠心圧縮機２と従来構成について、高回転数及び低回転数での重量流量と出口効率との関係を示す図である。
【図７】一実施形態に係る遠心圧縮機２と従来構成について、高回転数及び低回転数での重量流量と圧力比との関係を示す図である。
【図８】一実施形態に係る遠心圧縮機２の構成を説明するための概略断面図（子午面図）である。
【図９】一実施形態に係る遠心圧縮機２における、翼８の前縁位置Ｐ０から翼８の後縁位置Ｐ１までの翼８の先端１２とケーシング１４との隙間の大きさｔの分布Ｄｇを示す図である。
【図１０】一実施形態に係る遠心圧縮機２における、翼８の前縁位置Ｐ０から翼８の後縁位置Ｐ１までの翼８の先端１２とケーシング１４との隙間の大きさｔの分布Ｄｇを示す図である。
【図１１】一実施形態に係る遠心圧縮機２における、翼８の前縁位置Ｐ０から翼８の後縁位置Ｐ１までの翼８の先端１２とケーシング１４との隙間の大きさｔの分布Ｄｇを示す図である。
【図１２】一実施形態に係る軸流圧縮機３の回転軸線に沿った概略断面図（子午面図）である。
【図１３】一実施形態に係る軸流圧縮機３における、翼８の前縁位置Ｐ０から翼８の後縁位置Ｐ１までの翼８の先端１２とケーシング１４との隙間の大きさｔの分布Ｄｇを示す図である。
【図１４】一実施形態に係る軸流圧縮機３の回転軸線に沿った概略断面図（子午面図）である。
【図１５】一実施形態に係る軸流圧縮機３における、翼８の前縁位置Ｐ０から翼８の後縁位置Ｐ１までの翼８の先端１２とケーシング１４との隙間の大きさｔの分布Ｄｇを示す図である。
【発明を実施するための形態】
【００２８】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２９】
図１は、一実施形態に係る遠心圧縮機２の回転軸線に沿った概略断面図（子午面図）である。遠心圧縮機２は、例えば自動車用、舶用、又は発電エンジン用のターボチャージャや、産業用の遠心圧縮機等に適用可能である。
【００３０】
図１に示すように、遠心圧縮機２は、不図示の回転軸に固定されたハブ４及びハブ４の外周面６に設けられた複数の翼８を含むロータ１０と、翼８の先端１２と隙間を介して対向するようにロータ１０を囲繞するケーシング１４と、を備える。翼８の先端１２は、翼８の前縁１６から後縁１８までケーシング１４に沿って延在する。
【００３１】
図１に示すように、翼８の前縁位置Ｐ０（翼８の前縁１６と先端１２との接続位置）における翼８の先端１２とケーシング１４との隙間の大きさをｔ０とすると、翼８の先端１２とケーシング１４とは、前縁位置Ｐ０よりもロータ１０の軸方向における下流側の少なくとも一部の範囲において、大きさｔ０よりも大きな隙間を有する。なお、図１における破線は、ケーシング１４から距離ｔ０の位置を翼８の前縁位置Ｐ０から後縁位置Ｐ１（翼８の後縁１８と先端１２との接続位置）に亘って結んだ線であり、従来の遠心圧縮機における翼の先端形状の例を示している。
【００３２】
上記遠心圧縮機２の構成により得られる効果について、図２〜図５を用いて説明する。図２は、一実施形態に係る遠心圧縮機２における、クリアランスフローと翼８の負圧面２２側で生じる逆流域Ａの分布を示す図である。図３は、従来の遠心圧縮機（図１の破線に示すように、翼８の前縁位置Ｐ０から後縁位置Ｐ１に亘って翼８の先端１２とケーシング１４との隙間の大きさが一定に設定された遠心圧縮機）におけるクリアランスフローと翼８の負圧面２２側で生じる逆流域Ａの分布を示す図である。図４は、一実施形態に係る遠心圧縮機２における、前縁１６から剥離して翼８の先端１２近傍に集積する低エネルギー流体の流線を示す図である。図５は、従来の遠心圧縮機（図１の破線に示すように、翼８の前縁位置Ｐ０から後縁位置Ｐ１に亘って翼８の先端１２とケーシング１４との隙間が一定に設定された遠心圧縮機）における、前縁１６から剥離して翼８の先端１２近傍に集積する低エネルギー流体Ｆｃの流線を示す図である。
【００３３】
上記遠心圧縮機２によれば、翼８の前縁位置Ｐ０では翼８の先端１２とケーシング１４との隙間の大きさｔ０を小さく維持することで、図２に示すように、翼端漏れ渦Ｖの巻き始め部におけるクリアランスフローＦａの増大を抑制することができる。これにより、翼端漏れ渦Ｖに起因する損失の増大を効果的に抑制することができる。
【００３４】
また、翼８の前縁位置Ｐ０より下流側の少なくとも一部の範囲で隙間の大きさｔを上記のようにｔ０よりも大きくすることで、図２及び図３に示すように、従来の遠心圧縮機と比較して、当該少なくとも一部の範囲における隙間を介して翼８の圧力面２０側からエネルギーの大きなクリアランスフローＦｂを低エネルギー流体の集積した負圧面２２側へ積極的に供給することができる。これにより、図４及び図５に示すように、従来の遠心圧縮機と比較して、翼８の先端１２近傍における低エネルギー流体Ｆｃの集積量の増大を抑制することができる。このため、図２及び図３に示すように、従来の遠心圧縮機と比較して、翼８の負圧面２２における境界層の発達を抑制して翼端漏れ渦の崩壊（渦中心線上における逆流の発生）を抑制することにより、翼８の先端１２近傍における逆流域Ａを縮小し又は逆流の発生を抑制することができる。
【００３５】
また、翼８の前縁位置Ｐ０よりある程度下流側の位置では、圧力面２０側と負圧面２２側との差圧が小さいため、上記少なくとも一部の範囲における隙間の大きさｔを相対的に大きくしても、当該隙間からのクリアランスフローＦｂを過度に増大させることなく翼８の先端１２近傍における逆流域Ａを効果的に縮小し、又は逆流の発生を効果的に抑制することができる。
【００３６】
このように、遠心圧縮機２によれば、クリアランスフローに起因する損失の増大を抑制しつつ、翼８の先端１２近傍における逆流域を縮小し又は逆流の発生を抑制することができるため、高効率な遠心圧縮機を実現することができる。また、本願発明者の知見によれば、図６及び図７に示すように、特に、高回転数域における高圧力比側で性能向上効果が大きくなる。
【００３７】
図８は、一実施形態に係る遠心圧縮機２の構成を説明するための概略断面図である。図９は、一実施形態に係る遠心圧縮機２における、翼８の前縁位置Ｐ０から翼８の後縁位置Ｐ１までの翼８の先端１２とケーシング１４との隙間の大きさｔの分布Ｄｇを示す図である。図９では、翼８の先端１２に沿った前縁位置Ｐ０からの子午面長さＬ（前縁位置Ｐ０を原点とした場合の翼８の先端１２に沿った子午面長さ位置）を横軸とし、翼８の先端１２とケーシング１４との隙間の大きさｔを縦軸として、隙間の大きさｔの分布Ｄｇを示している。なお、「分布Ｄｇ」とは、翼８の前縁位置Ｐ０から翼８の後縁位置Ｐ１までの翼８の先端１２上の各位置における隙間の大きさｔを、上記横軸及び縦軸においてプロットしたときの、プロットした各点の集合からなる線のことを意味する。また、「子午面長さ」とは、子午面（ロータ１０の回転軸線に沿った圧縮機２の断面図において、翼８の形状を当該回転軸線の周りに回転投影した形状を重ね合わせた図）上で規定される長さを意味する。
【００３８】
一実施形態では、例えば図８及び図９に示すように、翼８の先端１２に沿った前縁位置Ｐ０からの子午面長さをＬ、翼８の先端１２に沿った前縁位置Ｐ０から後縁位置Ｐ１までの子午面長さをＬ１とすると、翼８の先端１２とケーシング１４とは、０＜Ｌ≦０．５Ｌ１の範囲の少なくとも一部において、大きさｔ０よりも大きな隙間ｔを有する。
【００３９】
本願発明者の知見によれば、翼端漏れ渦が翼の前縁から発生し、渦中心部の低エネルギー流体が圧力勾配に負けて逆流を生じ始める（渦崩壊を生じ始める）現象は、０＜Ｌ≦０．５Ｌ１の範囲内で起こる傾向がある。よって、上記のように、翼８の先端１２とケーシング１４とを、０＜Ｌ≦０．５Ｌ１の範囲（好ましく０．１Ｌ１≦Ｌ≦０．４Ｌ１の範囲、更に好ましく０．２Ｌ１≦Ｌ≦０．３Ｌ１の範囲）の少なくとも一部において、大きさｔ０よりも大きな隙間ｔを有するように構成することにより、逆流を生じ始める現象が起こる領域に翼８の圧力面２０側からエネルギーの大きなクリアランスフローＦｂ（図２参照）を積極的に供給することができる。これにより、翼８の負圧面２２における境界層の発達を抑制して翼端漏れ渦の崩壊を効果的に抑制することにより、翼８の先端１２近傍における逆流域Ａ（図２参照）を縮小し又は逆流の発生を抑制することができる。したがって、高効率な遠心圧縮機を実現することができる。
【００４０】
一実施形態では、例えば図９に示すように、上記隙間の大きさｔの分布Ｄｇにおける隙間の最大値ｔＭＡＸの位置Ｐ２は、０＜Ｌ≦０．５Ｌ１の範囲内（好ましく０．１Ｌ１≦Ｌ≦０．４Ｌ１の範囲内、更に好ましく０．２Ｌ１≦Ｌ≦０．３Ｌ１の範囲内）に位置する。
【００４１】
上記のように、本願発明者の知見によれば、翼端漏れ渦が翼の前縁から発生し、渦中心部の低エネルギー流体が圧力勾配に負けて逆流を生じ始める現象は、０＜Ｌ≦０．５Ｌ１の範囲内で起こる傾向がある。よって、上記隙間の大きさｔの分布Ｄｇにおける隙間の最大値ｔＭＡＸの位置Ｐ２を、０＜Ｌ≦０．５Ｌ１の範囲内に設定することにより、漏れ損失（クリアランスフロー自体に起因する損失）の増大を抑制しつつ、翼端漏れ渦の崩壊を効果的に抑制して、翼８の先端１２近傍における逆流域Ａ（図２参照）を縮小し又は逆流の発生を抑制することができる。したがって、高効率な遠心圧縮機を実現することができる。
【００４２】
一実施形態では、図９に示すように、上記隙間の大きさｔの分布Ｄｇにおける隙間の最大値ｔＭＡＸは、１．１ｔ０≦ｔＭＡＸ≦１．５ｔ０を満たす。
【００４３】
上記漏れ損失の増大を抑制する観点からは、上記隙間の大きさｔは基本的には極力小さくすることが望ましい。また、翼８の負圧面２２における境界層の発達を抑制する観点からは、上記隙間の最大値ｔＭＡＸは、ある程度の大きさがあることが望ましい。そこで、上記のように隙間の最大値ｔＭＡＸを１．１ｔ０≦ｔＭＡＸ≦１．５ｔ０を満たすように設定することにより、漏れ損失の増大の抑制と翼８の負圧面２２における境界層の発達の抑制とを両立し、高効率な遠心圧縮機を実現することができる。
【００４４】
一実施形態では、図９に示すように、上記隙間の大きさｔの分布Ｄｇは、上方に凸となる滑らかな湾曲凸形状２４を含む。かかる構成によれば、翼８の先端１２にスリット２６等を設ける後述の形態（例えば図１４参照）と比較して、翼の破損リスクの増大を抑制しつつ高効率な遠心圧縮機を実現することができる。
【００４５】
一実施形態では、図９に示す隙間の大きさｔの分布Ｄｇにおいて、湾曲凸形状２４は、前縁位置Ｐ０から後縁位置Ｐ１に亘って存在する。かかる構成によれば、上記高効率な遠心圧縮機を簡素な翼８の構成で実現することができる。
【００４６】
本発明は上述した実施形態に限定されることはなく、以下に例示するように、上述した実施形態に変形を加えた形態や、これらの形態を適宜組み合わせた形態も含む。以下では、上述した構成と同一名称の構成については同一の符号を付して基本的な説明を省略し、各実施形態の特徴的な構成を中心に説明する。
【００４７】
例えば、上述した実施形態では、翼８の後縁位置Ｐ１における翼８の先端１２とケーシング１４との隙間の大きさが、翼８の前縁位置Ｐ０における翼８の先端１２とケーシング１４との隙間の大きさｔ０に等しい形態を例示した。
【００４８】
しかしながら、本発明はかかる形態に限定されず、例えば図１０に示すように、翼８の後縁位置Ｐ１における翼８の先端１２とケーシング１４との隙間の大きさｔ１が、翼８の前縁位置Ｐ０における翼８の先端１２とケーシング１４との隙間の大きさｔ０よりも小さくてもよい。
【００４９】
遠心圧縮機では、翼８の前縁位置Ｐ０近傍では、ロータ１０の遠心力の影響で翼８の先端１２とケーシング１４との隙間の大きさが変化しやすいのに対し、翼８の後縁位置Ｐ１近傍では、翼８の先端１２とケーシング１４との隙間の大きさはロータ１０の遠心力の影響を受けにくい。このため、上記のように、翼８の後縁位置Ｐ１における翼８の先端１２とケーシング１４との隙間の大きさｔ１を、翼８の前縁位置Ｐ０における翼８の先端１２とケーシング１４との隙間の大きさｔ０よりも小さくすることにより、クリアランスフローに起因する損失を低減し、高効率な遠心圧縮機を実現することができる。
【００５０】
また、上述した実施形態では、湾曲凸形状２４が前縁位置Ｐ０から後縁位置Ｐ１に亘って存在する形態を例示した。
しかしながら、本発明はかかる形態に限定されず、例えば図１１に示すように、翼８の前縁位置Ｐ０から翼８の後縁位置Ｐ１までの翼８の先端１２とケーシング１４との隙間の大きさｔの分布Ｄｇにおいて、隙間の大きさｔは、前縁位置Ｐ０からの第１範囲Ｗ１において一定であり、湾曲凸形状２４は、第１範囲Ｗ１の下流側の第２範囲Ｗ２内に存在していてもよい。
【００５１】
かかる構成によれば、例えば翼８の前縁位置Ｐ０近傍においてケーシング１４の内周面がロータ１０の軸方向に平行に形成されている場合等において、高効率な遠心圧縮機を簡素な翼構成で実現することができる。
【００５２】
また、上述した実施形態では、本発明を遠心圧縮機２に適用する場合を例示したが、本発明は、かかる形態に限定されず軸流圧縮機３に適用してもよい。
この場合、例えば図１２及び図１３に示すように、翼８の前縁位置Ｐ０から翼８の後縁位置Ｐ１までの翼８の先端１２とケーシング１４との隙間の大きさｔの分布Ｄｇにおいて、隙間の大きさｔは、翼８の前縁位置Ｐ０から軸方向下流側に向かうにつれて直線的に増加して最大値ｔＭＡＸに到達し、最大値ｔＭＡＸの位置Ｐ２から軸方向下流側に向かうにつれて直線的に減少してもよい。
【００５３】
また、例えば図１４及び図１５に示すように、翼８の前縁位置Ｐ０から翼８の後縁位置Ｐ１までの翼８の先端１２とケーシング１４との隙間の大きさｔの分布Ｄｇにおいて、隙間の大きさｔは不連続に変化してもよい。図１４及び図１５に示す形態では、翼８の先端１２にはスリット２６が設けられており、隙間の大きさｔは、前縁位置Ｐ０からの第１範囲Ｗ１において一定値ｔ０をとり、第１範囲Ｗ１の下流側に隣接する第２範囲Ｗ２（スリット２６が設けられた範囲）において一定の最大値ｔＭＡＸをとり、第２範囲Ｗ２の下流側に隣接する第３範囲Ｗ３において一定値ｔ０をとる。
【００５４】
図１０〜図１５に示した幾つかの実施形態においても、翼８の先端１２とケーシング１４とが、翼８の前縁位置Ｐ０よりもロータ１０の軸方向における下流側の少なくとも一部の範囲において、前縁位置Ｐ０における翼８の先端１２とケーシング１４との隙間の大きさｔ０よりも大きな隙間を有することにより、漏れ損失の増大を抑制しつつ翼８の負圧面２２における境界層の発達の抑制し、高効率な遠心圧縮機を実現することができる。
【符号の説明】
【００５５】
２  遠心圧縮機
３  軸流圧縮機
４  ハブ
６  外周面
８  翼
１０  ロータ
１２  先端
１４  ケーシング
１６  前縁
１８  後縁
２０  圧力面
２２  負圧面
２４  湾曲凸形状
２６  スリット
【図１】
0006770594.tif 000002
【図２】
0006770594.tif 000003
【図３】
0006770594.tif 000004
【図４】
0006770594.tif 000005
【図５】
0006770594.tif 000006
【図６】
0006770594.tif 000007
【図７】
0006770594.tif 000008
【図８】
0006770594.tif 000009
【図９】
0006770594.tif 000010
【図１０】
0006770594.tif 000011
【図１１】
0006770594.tif 000012
【図１２】
0006770594.tif 000013
【図１３】
0006770594.tif 000014
【図１４】
0006770594.tif 000015
【図１５】
0006770594.tif 000016